【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
サーバに画像データを送信する送信手段と、
前記サーバから前記画像データに対して少なくとも人物の特徴抽出を行った結果に基づく当該画像データの特徴データを受信する受信手段と、
前記サーバから受信した当該画像データに関連する前記特徴データを記録媒体に記録する記録手段と、
前記特徴データを指定可能に提示すると共に、指定された特徴データを前記記録媒体から検索する検索手段と、
前記検索手段により検索された特徴データに対応する画像データを表示する表示手段と、を有することを特徴とする画像処理装置。
【請求項２】
被写体を撮像して画像データを生成する撮像手段を更に有することを特徴とする請求項１に記載の画像処理装置。
【請求項３】
前記撮像手段によって生成された画像データの前記記録媒体への記録と前記サーバへの送信とを同期して行うことを特徴とする請求項２に記載の画像処理装置。
【請求項４】
前記記録手段は、前記撮像手段によって生成された画像データを前記記録媒体に記録し、
前記表示手段は、前記検索手段により検索された特徴データに対応する画像データを前記記録媒体から読み出して表示することを特徴とする請求項２又は３に記載の画像処理装置。
【請求項５】
前記撮像手段によって生成された画像データは前記記録媒体に記録されずに、前記送信手段により前記サーバに送信されることを特徴とする請求項２に記載の画像処理装置。
【請求項６】
前記表示手段は、前記検索手段により検索された特徴データに対応する画像データを前記サーバから取得し表示することを特徴とする請求項５に記載の画像処理装置。
【請求項７】
前記特徴データは、前記画像データに含まれる人物、風景、画像中の主要な色、天気を表すデータの少なくとも１つを含むことを特徴とする請求項１乃至６のいずれか１項に記載の画像処理装置。
【請求項８】
前記送信手段及び前記受信手段は、前記サーバとの間でインターネットプロトコルに準拠した通信処理を行うことを特徴とする請求項１乃至７のいずれか１項に記載の画像処理装置。
【請求項９】
画像処理装置から画像データを受信する受信手段と、
前記画像データに対して少なくとも人物の特徴抽出を行って特徴データを抽出する画像分析手段と、
前記画像データと当該画像データに関連する前記特徴データとを記録媒体に記録する記録手段と、
前記特徴データを前記画像データの検索用データとして前記画像処理装置に送信する送信手段と、を有することを特徴とするサーバ。
【請求項１０】
前記送信手段は、前記画像処理装置から要求された特徴データに対応する画像データを当該画像処理装置に送信することを特徴とする請求項９に記載のサーバ。
【請求項１１】
前記特徴データは、前記画像データに含まれる人物、風景、画像中の主要な色、天気を表すデータの少なくともいずれかを含むことを特徴とする請求項９又は１０に記載のサーバ。
【請求項１２】
前記画像データに人物の顔が含まれるか判断する判断手段を更に有し、
前記特徴データは、前記画像データに顔が含まれている場合は人物画、顔の数、顔の識別情報の少なくとも１つを含み、人物が含まれていない場合は人物以外の画像であることを示す情報を含むことを特徴とする請求項９乃至１１のいずれか１項に記載のサーバ。
【請求項１３】
前記判断手段により前記画像データに顔が含まれていると判断された場合、前記記録媒体に既に記録された顔の識別情報と照合し、一致する識別情報がない場合に、当該顔の識別情報を新規に生成することを特徴とする請求項１２に記載のサーバ。
【請求項１４】
前記判断手段により前記画像データに顔が含まれていると判断された場合、前記記録媒体に既に格納された顔の識別情報と照合し、一致する識別情報に対して顔だけを切り出した検索用画像を前記特徴データとして生成することを特徴とする請求項１２又は１３に記載のサーバ。
【請求項１５】
前記受信手段及び前記送信手段は、前記画像処理装置との間でインターネットプロトコルに準拠した通信処理を行うことを特徴とする請求項９乃至１４のいずれか１項に記載のサーバ。
【請求項１６】
サーバに画像データを送信する送信ステップと、
前記サーバから前記画像データに対して少なくとも人物の特徴抽出を行った結果に基づく当該画像データの特徴データを受信する受信ステップと、
前記サーバから受信した当該画像データに関連する前記特徴データを記録媒体に記録する記録ステップと、
前記特徴データを指定可能に提示すると共に、指定された前記特徴データを前記記録媒体から検索する検索ステップと、
前記検索ステップにより検索された特徴データに対応する画像データを表示部に表示する表示ステップと、を有することを特徴とする画像処理方法。
【請求項１７】
画像処理装置と通信するサーバの制御方法であって、
前記画像処理装置から画像データを受信する受信ステップと、
前記画像データに対して少なくとも人物の特徴抽出を行って特徴データを抽出する画像分析ステップと、
前記画像データと当該画像データに関連する前記特徴データとを記録媒体に記録する記録ステップと、
前記特徴データを前記画像データの検索用データとして前記画像処理装置に送信する送信ステップと、を有することを特徴とする制御方法。
【請求項１８】
請求項１６に記載の画像処理方法又は請求項１７に記載の制御方法をコンピュータに実行させるためのプログラム。
【請求項１９】
請求項１８に記載のプログラムを記憶したことを特徴とするコンピュータ可読記憶媒体。
【手続補正２】
【補正対象書類名】明細書
【補正対象項目名】０００６
【補正方法】変更
【補正の内容】
【０００６】
上記課題を解決し、目的を達成するために、本発明の画像処理装置は、サーバに画像データを送信する送信手段と、前記サーバから前記画像データに対して少なくとも人物の特徴抽出を行った結果に基づく当該画像データの特徴データを受信する受信手段と、前記サーバから受信した当該画像データに関連する前記特徴データを記録媒体に記録する記録手段と、前記特徴データを指定可能に提示すると共に、指定された特徴データを前記記録媒体から検索する検索手段と、前記検索手段により検索された特徴データに対応する画像データを表示する表示手段と、を有する。
【手続補正３】
【補正対象書類名】明細書
【補正対象項目名】０００７
【補正方法】変更
【補正の内容】
【０００７】
また、本発明のサーバは、画像処理装置から画像データを受信する受信手段と、前記画像データに対して少なくとも人物の特徴抽出を行って特徴データを抽出する画像分析手段と、前記画像データと当該画像データに関連する前記特徴データとを記録媒体に記録する記録手段と、前記特徴データを前記画像データの検索用データとして前記画像処理装置に送信する送信手段と、を有する。
【手続補正４】
【補正対象書類名】明細書
【補正対象項目名】０００８
【補正方法】変更
【補正の内容】
【０００８】
また、本発明の画像処理方法は、サーバに画像データを送信する送信ステップと、前記サーバから前記画像データに対して少なくとも人物の特徴抽出を行った結果に基づく当該画像データの特徴データを受信する受信ステップと、前記サーバから受信した当該画像データに関連する前記特徴データを記録媒体に記録する記録ステップと、前記特徴データを指定可能に提示すると共に、指定された前記特徴データを前記記録媒体から検索する検索ステップと、前記検索ステップにより検索された特徴データに対応する画像データを表示部に表示する表示ステップと、を有する。
【手続補正５】
【補正対象書類名】明細書
【補正対象項目名】０００９
【補正方法】変更
【補正の内容】
【０００９】
また、本発明のサーバの制御方法は、画像処理装置と通信するサーバの制御方法であって、前記画像処理装置から画像データを受信する受信ステップと、前記画像データに対して少なくとも人物の特徴抽出を行って特徴データを抽出する画像分析ステップと、前記画像データと当該画像データに関連する前記特徴データとを記録媒体に記録する記録ステップと、前記特徴データを前記画像データの検索用データとして前記画像処理装置に送信する送信ステップと、を有する。
【手続補正６】
【補正対象書類名】明細書
【補正対象項目名】００６４
【補正方法】変更
【補正の内容】
【００６４】
Ｓ１４０２において、データベース照合部３０６は、Ｓ１４０１にて算出された特徴量データに基づいてテキストデータベースを検索し、対応するメタデータを取得する。このとき、抽出された顔の特徴量データを用いてテキストデータベースを検索し、ヒットした場合は、テキストデータベース内に既に格納されている人物ＩＤに該当し、同じ顔のデータが既に格納されていることを意味する。一方、ヒットしない場合は、新規の顔とみなされ、新規の人物ＩＤが生成される。
【手続補正７】
【補正対象書類名】明細書
【補正対象項目名】００６７
【補正方法】変更
【補正の内容】
【００６７】
図１５は全てのメタデータ生成処理が終了し、サーバ３０１から返信されるメタデータの構成を示している。なお、図８で示す第１の実施形態と同様の項目については、同じ番号を使用し説明を省略する。人数１５０１は、ＩＤ８０１が００００００１０、００００００１１、００００００１２の画像データに対して、それぞれ顔（人物）が２人、３人、１人抽出されたことを示す。人物ＩＤは、ＩＤ８０１が００００００１０の画像データにおいてＡ、Ｂであり、ＩＤ８０１が００００００１１の画像データにおいて、Ｂ、Ｃ、Ｄであり、ＩＤ８０１が００００００１２の画像データにおいて、Ｃであることを示す。つまり、ＩＤ８０１が００００００１０と００００００１１の画像データには、Ｂに該当する同じ人物が写っていることを示す。検索キー画像１５０３は、人物ＩＤ１５０２がＡの検索キー画像のファイル名はＡ．ｊｐｇであり、同様に人物ＩＤがＢの検索キー画像のファイル名がＢ．ｊｐｇであり、以下同様である。